(57)【要約】【課題】下ブロックの上下のがたつきを抑えて支柱等の施工を容易にできる浴室構造を提供する。【解決手段】床又は浴槽で構成される浴室底部の外縁部に上方に突出する立上片部１３が形成される。支柱１４を支持するための下ブロック１５に下方に開口する差込溝１６が形成される。差込溝１６に立上片部１３が差し込まれた状態で下ブロック１５が浴室底部上に載置される。下ブロック１５に形成された被引掛部１７が浴室底部の外縁部の下面に引っ掛けられる。【選択図】図１
2013007165.tif 000002
【特許請求の範囲】
【請求項１】
床又は浴槽で構成される浴室底部の外縁部に上方に突出する立上片部が形成され、支柱を支持するための下ブロックに下方に開口する差込溝が形成され、前記差込溝に前記立上片部が差し込まれた状態で前記下ブロックが前記浴室底部上に載置され、前記下ブロックに形成された被引掛部が前記浴室底部の外縁部の下面に引っ掛けられることを特徴とする浴室構造。
【発明の詳細な説明】
【技術分野】
【０００１】
本発明は、浴室底部上に支柱を支持する下ブロックが設けられた浴室構造に関する。
【背景技術】
【０００２】
例えば特許文献１には、壁パネルが支柱ジョイナーに連結された浴室構造が開示されており、この浴室構造では支柱ジョイナーを支持するための下ブロックが床縁部に取り付けられている。
【先行技術文献】
【特許文献】
【０００３】
【特許文献１】特開２００５−９２３０号公報
【発明の概要】
【発明が解決しようとする課題】
【０００４】
ところで、前記下ブロックは下方に開口する差込溝を有し、この差込溝に床縁部から立ち上げた立上片部を差し込むことで、床縁部に取り付けられる。しかし、このように立上片部を差込溝に差し込んだだけでは、下ブロックが上方に動く可能性がある。このため、例えば下ブロックに支柱を建て込む際等に、下ブロックが上下にがたついたり、差込溝から立上片部が抜け出たりすることが懸念される。
【０００５】
本発明は上記事情に鑑みてなされたものであって、下ブロックの上下のがたつきを抑えて支柱等の施工を容易にできる浴室構造を提供することを課題とする。
【課題を解決するための手段】
【０００６】
上記課題を解決するために本発明の浴室構造は、床又は浴槽で構成される浴室底部の外縁部に上方に突出する立上片部が形成され、支柱を支持するための下ブロックに下方に開口する差込溝が形成され、前記差込溝に前記立上片部が差し込まれた状態で前記下ブロックが前記浴室底部上に載置され、前記下ブロックに形成された被引掛部が前記浴室底部の外縁部の下面に引っ掛けられることを特徴とする。
【発明の効果】
【０００７】
本発明にあっては、下ブロックの上下のがたつきを抑えて支柱等の施工を容易にできる。
【図面の簡単な説明】
【０００８】
【図１】本実施形態の平用下ブロック及びその近傍を示す斜視図である。
【図２】天井パネルや廻縁の図示を省略したユニットバスルームの破断斜視図である。
【図３】パネル掛止具を取り付けた壁パネルの斜視図である。
【図４】隅下ブロック及びその近傍を示す斜視図である。
【図５】段差用下ブロック及びその近傍を示す斜視図である。
【図６】平用下ブロックの斜視図である。
【図７】隅下ブロックの斜視図である。
【図８】段差用下ブロックの斜視図である。
【図９】平用下ブロックで支持した中間支柱の下部における壁パネルの連結構造を示す水平断面図である。
【図１０】隅支柱の下部における壁パネルの連結構造を示す水平断面図である。
【図１１】段差用下ブロックで支持した中間支柱の下部における壁パネルの連結構造を示す水平断面図である。
【図１２】天井パネルや廻縁の図示を省略した上ブロック及びその近傍を示す斜視図である。
【発明を実施するための形態】
【０００９】
以下、本発明を添付図面に基づいて説明する。本実施形態の浴室構造は住宅やマンション等に設けられるユニットバスルームに適用されたものである。このユニットバスルームは、図２に示すように、床パン１と、床パン１の外周縁部上に建て込まれた複数の壁パネル２と、壁パネル２上に設けられた複数の天井パネル（不図示）を具備している。
【００１０】
浴室底部を構成する床パン１は、合成樹脂製であって、浴槽を構成する浴槽部４と床を構成する洗い場部５が一体に形された浴槽一体型床パンである。図１に示すように床パン１の外周縁部には、上方に突出する立上片部１３と、下方に突出する垂片部４４が形成されている。立上片部１３の室外側の面と垂片部４４の室外側の面は面一となっており、両面で床パン１の外周端面が構成されている。
【００１１】
図２のように、壁パネル２は浴槽部４と洗い場部５のいずれにも建て込まれている。各壁パネル２は、浴室壁面を構成する金属製で略縦長矩形状の表面板６を備えている。図３のように表面板６の下縁には室外側に突出して壁パネル２の下端面を構成する下縁片８が形成され、下縁片８の後縁部には上方に突出する下突片１０が形成されている。
【００１２】
各壁パネル２の下突片１０には、下方に開口する掛止溝部１２を有するパネル掛止具１１が壁パネル２の幅方向に複数取り付けられている。図１のように各パネル掛止具１１の掛止溝部１２には床パン１の立上片部１３が差し込まれて掛止されており、この状態で、各壁パネル２はパネル掛止具１１と共にパッキン（不図示）を介して床パン１の外周縁部上に載置されている。
【００１３】
床パン１の外周縁部には、後述の各支柱１４を支持する下ブロック１５が取り付けられている。下ブロック１５には、図６や図８に示す中間下ブロックと、図７に示す隅下ブロック４０とがある。
【００１４】
中間下ブロックは図１のように平面視で直線状に並んで隣り合う壁パネル２同士を連結するための中間支柱３１を支持するものであり、図６に示す平用下ブロック３８と、図８に示す段差用下ブロック３９の二種類がある。平用下ブロック３８は図１のように床パン１の外周縁部において段差のない部分に設けられている。段差用下ブロック３９は、図５のように床パン１の外周縁部において段差のある部分、すなわち、浴槽部４の洗い場部５よりも高い外縁部における洗い場部５側の端部に設けられている。隅下ブロック４０は、図４のように平面視で直角になるように並ぶ壁パネル２同士を連結するための隅支柱３２を支持するものである。
【００１５】
なお、平用下ブロック３８、段差用下ブロック３９、及び隅下ブロック４０は共通点が多いため、以下では、共通する構成につき、平用下ブロック３８、段差用下ブロック３９、及び隅下ブロック４０を単に下ブロック１５と記載して説明する。
【００１６】
図６乃至図８に示すように、各下ブロック１５は、大略ブロック状の支柱載置部２７と、支柱載置部２７から下方に突出した被引掛部１７を有している。なお、被引掛部１７は、図８に示す段差用下ブロック３９にあっては、支柱載置部２７の浴槽部４側にのみ形成されており、図７に示す隅下ブロック４０にあっては支柱載置部２７の両側に形成されている。
【００１７】
図６乃至図８のように、各下ブロック１５の被引掛部１７は、支柱載置部２７の室外側端部から下方に突出した沿片部３６と、沿片部３６の下端部から室内側に突出した掛止爪部１９で構成されている。
【００１８】
各下ブロック１５の支柱載置部２７は、下方に突出して沿片部３６の上部の室内側に配置される突出部４１を有しており、突出部４１と沿片部３６の上部の間には下方に開口する差込溝１６が形成されている。なお、図７に示す隅下ブロック４０には前記突出部４１及び差込溝１６が両側に形成されている。
【００１９】
各下ブロック１５は、図１、図４、及び図５に示すように、差込溝１６に床パン１の立上片部１３が差し込まれ、被引掛部１７の掛止爪部１９が床パン１の外縁部の下面を構成する垂片部４４の下端面に引っ掛けられている。
【００２０】
掛止爪部１９を垂片部４４の下端面に引っ掛けるには、例えば以下のように行われる。まず、沿片部３６を室外側に弾性変形させて掛止爪部１９を床パン１の外周端面に沿わせながら下ブロック１５を下方に移動する。そして、立上片部１３が差込溝１６に十分に差し込まれて掛止爪部１９が垂片部４４よりも下方に位置すると、沿片部３６が弾性復帰して掛止爪部１９が垂片部４４の下端面に掛止される。なお、このように床パン１に下ブロック１５を取り付けた状態では、沿片部３６が床パン１の外周端面に沿う。また、各下ブロック１５の突出部４１は差込溝１６に立上片部１３を容易に挿入できるように差込溝１６側の面が下方程沿片部３６から離れるように湾曲又は傾斜している。
【００２１】
上記により、各下ブロック１５は、室内外方向及び上方向の移動が規制される。そして、このように固定された状態で、各下ブロック１５は、支柱載置部２７の突出部４１が前記パッキンを介して床パン１の外周部上に載置されている。
【００２２】
図６乃至図８に示すように、各下ブロック１５は、支柱載置部２７から上方に突出した内嵌部２４と、同支柱載置部２７から上方に突出して内嵌部２４の外側に位置する外嵌部２５を有している。各下ブロック１５の外嵌部２５は、支柱載置部２７の両側から突出した壁部４２により構成されている。
【００２３】
各下ブロック１５に支持される支柱１４は、ステンレスなどの金属製であって、図９乃至図１１に示すように両側の壁パネル２を連結している。支柱１４には、前述した中間支柱３１と隅支柱３２の二種類がある。なお、中間支柱３１と隅支柱３２は共通点が多いため、以下では、共通する構成につき、中間支柱３１及び隅支柱３２を共に支柱１４と記載して説明する。
【００２４】
各支柱１４は水平断面が室内側に開口する溝形に形成されている。各支柱１４の下端部には、内側に下ブロック１５の内嵌部２４が嵌め込まれると共に、外側に下ブロック１５の外嵌部２５が嵌め込まれており、この状態で各支柱１４は下ブロック１５の支柱載置部２７上に載置されている。
【００２５】
図６乃至図８に示すように、各下ブロック１５の外嵌部２５の内側面には、上方程外側に位置するように傾斜したガイド面４３が形成されている。このため、外嵌部２５の内側に支柱１４の下端部を嵌め込む際には、外嵌部２５及び内嵌部２４が支柱１４に嵌まり込むようにガイド面４３によって支柱１４をガイドできる。
【００２６】
図９乃至図１１に示すように、各支柱１４の両側の室内側縁部には、水平断面略Ｖ字状の係止部２０が形成されている。各係止部２０は、支柱１４の側板部２１から支柱１４の幅方向内側に向けて突出する突片部２２と、突片部２２の突端を室外側において折り返して形成された折返部２３とで構成されている。
【００２７】
各壁パネル２の表面板６の両側縁部には、室外側に突出する側縁片部２６が形成されている。各側縁片部２６には壁パネル２の幅方向内側に向かって突出する被係止部２８が形成されている。被係止部２８は側縁片部２６の突端を壁パネル２の幅方向内側において折り返した折返片部で構成されており、この被係止部２８は水平断面で壁パネル２の幅方向内側に向かって突出するＶ字状に形成されている。
【００２８】
各壁パネル２の両側の被係止部２８は対応する支柱１４に室内側から挿入され、対応する係止部２０の室外側に係止され、これにより各壁パネル２は支柱１４の幅方向外側への移動及び室内外方向の移動が規制されている。
【００２９】
また、図１２に示すように、各支柱１４の上端部には、支柱１４両側の壁パネル２の上方への移動を規制する上ブロック２９が取り付けられている。
【００３０】
図９乃至図１１に示すように、各支柱１４には、両側の壁パネル２の対向する側縁片部２６の間から縦に長い乾式の目地材５４が挿入されている。各目地材５４は両側の側縁片部２６間に圧入され、これにより両側の側縁片部２６の間から支柱１４内に浴室内の水が浸入することが防止されている。また、目地材５４により、両側の壁パネル２が離れる方向に付勢され、これにより両側の被係止部２８が支柱１４の係止部２０から外れることが防止されている。
【００３１】
以上説明した本実施形態の浴室構造では、図１、図４、及び図５に示すように下ブロック１５に形成された被引掛部１７が床パン１の外縁部の下面に引っ掛けられた状態で床パン１に取り付けられている。このため、例えば下ブロック１５に支柱１４を建て込む際等に、下ブロック１５が上下にがたついたり、差込溝１６から立上片部１３が抜け出たりすることを防止でき、支柱１４や壁パネル２等の施工が容易になる。
【００３２】
なお、本実施形態では、下ブロック１５を浴槽部４及び洗い場部５の両者に設けたが、浴槽部４の外周縁にのみ、あるいは洗い場部５の外周縁にのみ設けても構わない。
【符号の説明】
【００３３】
１３  立上片部
１４  支柱
１５  下ブロック
１６  差込溝
１７  被引掛部
【図１】
2013007165.tif 000003
【図２】
2013007165.tif 000004
【図３】
2013007165.tif 000005
【図４】
2013007165.tif 000006
【図５】
2013007165.tif 000007
【図６】
2013007165.tif 000008
【図７】
2013007165.tif 000009
【図８】
2013007165.tif 000010
【図９】
2013007165.tif 000011
【図１０】
2013007165.tif 000012
【図１１】
2013007165.tif 000013
【図１２】
2013007165.tif 000014